(57)【特許請求の範囲】
【請求項１】
内部に略矩形状の開口部を有するフランジ状をした上枠部と、該上枠部の内端周縁から下方に連設される側縦部と、該側端部の一対の対向する側面部の下端部よりそれぞれ内方側に略水平に連設されている開口縁部と、を有し、床面に配設される開口プレートと、係止片と支持片と取着片とからなる複数の支持金具であって長手方向の長さをそれぞれ異ならせてある該係止片が対向する前記開口縁部に取り付けられている対の支持金具と、前記取着片に取り付けられていて横並びに連設してある複数の配線器具と、配線引出部を有して開口プレートの開口部に着脱自在に配設される開閉蓋とを備えた床配線装置であって、前記開閉蓋は、一端部に係止爪、他端部にロック爪を有し、前記開口プレートの側縦部に、係止爪が係合する係止爪受け部とロック爪が係合するロック爪受け部を、少なくとも開口プレートの側縦部の四つの側面部のうちの一側面部に設けるとともに、前記一側面部に対向する側面部にも、係止爪受け部とロック爪受け部を設け、開閉蓋を開口プレートの開口部に複数種類の取り付け向きで取り付け可能とすることを特徴とする床配線装置。
【請求項２】
前記係止爪受け部、ロック爪受け部は、前記一側面部及び前記対向する側面部だけでなく、他の一対の対向する側面部にも設け、開閉蓋を四種類の向きで取り付け可能としたことを特徴とする請求項１記載の床配線装置。  
【発明の詳細な説明】
【０００１】
【発明の属する技術分野】
本発明は、床面に配設される開口プレートと、配線器具を保持するとともに開口プレート内方に配設される支持金具とを備えた床配線装置に関するものである。
【０００２】
【従来の技術】
従来より、床面に開口プレートを配設し、この開口プレートに配線器具を保持させて該配線器具を床面に配設する床配線装置が用いられている。
【０００３】
これは、図１５に示すように、床面に内部に開口部１０を有する枠状をした開口プレート１’を配設し、この開口プレート１’に支持金具３’を介して配線器具２’を取り付けることで配線器具２’を床面に配設するもので、前記開口部１０には開閉蓋８’を配設するものである。
【０００４】
開閉蓋８’には、一側辺に配線引出部８０が形成してあり、開口プレート１’の開口部１０を閉塞すると共に配線引出部８０から開口プレート１’内の配線を床上に取り出すものであった。
【０００５】
従来のこのような床配線装置にあっては、開閉蓋８’を開口プレート１’の開口部１０に配設する際、開口プレート１’に対する開閉蓋８’の取り付け向きが一通りに固定されるため、開閉蓋８’の配線引出部８０の位置を変更することができなかった。このため、近傍に什器等の設備があったり、壁際等に設けられたりする場合、配線引出部８０の位置及び配線引出方向等に制約が生じ、配線の引き出しが困難になるという問題があった。
【０００６】
【発明が解決しようとする課題】
本発明は上記の点に鑑みてなされたものであり、その目的とするところは、床面に配設する開口プレートに取り付けられる開閉蓋の取り付け向きを変更できて、開閉蓋の配線引出部の位置を変更できる床配線装置を提供するものである。
【０００７】
【課題を解決するための手段】
上記課題を解決するために本発明に係る床配線装置は、内部に略矩形状の開口部１０を有するフランジ状をした上枠部１１と、該上枠部１１の内端周縁から下方に連設される側縦部１２と、該側端部１２の一対の対向する側面部の下端部よりそれぞれ内方側に略水平に連設されている開口縁部１３と、を有し、床面Ｆに配設される開口プレート１と、係止片３１と支持片３２と取着片３３とからなる複数の支持金具３であって長手方向の長さをそれぞれ異ならせてある該係止片３１が対向する前記開口縁部１３に取り付けられている対の支持金具３と、前記取着片３３に取り付けられていて横並びに連設してある複数の配線器具２と、配線引出部８０を有して開口プレート１の開口部１０に着脱自在に配設される開閉蓋８とを備えた床配線装置であって、前記開閉蓋８は、一端部に係止爪８３、他端部にロック爪８４を有し、前記開口プレートの側縦部１２に、係止爪８３が係合する係止爪受け部１８とロック爪８４が係合するロック爪受け部１９を、を、少なくとも開口プレート１の側縦部１２の四つの側面部のうちの一側面部に設けるとともに、前記一側面部に対向する側面部にも、係止爪受け部１８とロック爪受け部１９を設け、開閉蓋８を開口プレート１の開口部１０に複数種類の取り付け向きで取り付け可能とすることを特徴とするものである。このような構成とすることで、複数の支持金具３において区別できるようになり、また、開閉蓋８を開口プレート１の開口部１０に複数種類の取り付け向きで取り付け可能となって、開閉蓋８の取り付け向きを変更して配線引出部８０の位置を変更することができて、配線引出部８０に装着する開口着脱片８１ａの向きも変更することが可能となり、配線引出部８０の側方開口の向きを変更してこの側方開口より引き出す開口プレート１内の配線の引き出し向きを変更することが可能となり、また、複数の配線器具２に接続される多数の配線を床上に引き出すのにこれらの配線の引き出し向きを複数種類のうちから選択できることとなって配線が容易になる。このため、開口プレートの近傍に什器等の設備があったり、壁際等に設けられたりする場合でも、配線引出部８０の位置及び配線引出方向を現場の状況に応じて変更できて、配線の引き出しが困難になるのを回避することができる。
【０００８】
また、前記係止爪受け部１８、ロック爪受け部１９は、前記一側面部及び前記対向する側面部だけでなく、他の一対の対向する側面部にも設け、開閉蓋８を四種類の向きで取り付け可能としことが好ましい。このような構成とすることで、開閉蓋８を四種類の向きで取り付けることが可能となる。
【００１０】
【発明の実施の形態】
以下、本発明を添付図面に示す実施形態に基づいて説明する。本発明の床配線装置は、建物の床下配線が配設される床面Ｆに開口プレート１を配設し、この開口プレート１内方に配線器具２を配設すると共に、開口プレート１の開口部１０を開閉蓋８にて覆うもので、特に、複数の開閉蓋８の開口プレート１への取り付け向きを複数通り可能にするものである。まず、本発明の床配線装置において用いられる開口プレート１、配線器具２及び該配線器具２を開口プレートに取り付けるための支持金具３について説明する。
【００１１】
開口プレート１は、図１や図２等に示すように、建物の床面Ｆに形成される開口縁に取り付ける平面視大略ロ字形の枠状のものである。なお、本発明の床配線装置が採用される床面Ｆは、床下配線を有するような床面Ｆであって、通常は、本実施形態の例えば図８に示すように上面が床面Ｆとなる床板ＦＰを有して該床板ＦＰの下側の空間に床下配線が配設されるものであるが、特に床板ＦＰを有するものに限定されない。
【００１２】
開口プレート１について詳述すると、内部に略矩形状の開口部１０を有する平面視略ロ字形のフランジ状をした上枠部１１と、該上枠部１１の内端周縁から下方に連設される側縦部１２と、該側縦部１２の下端部より内方側に連設される開口縁部１３とで構成される。
【００１３】
フランジ状をした上枠部１１は、床面Ｆの凹空所の上開口縁、即ち床板ＦＰに穿孔した平面視で上枠部１１より若干小さい矩形状の上下方向の貫通口の開口縁上面に上方より載置されるものである（図８参照）。上枠部１１の内端周縁からは、下方に上下長さが比較的短い四つの側面部からなる大略角筒状をした側縦部１２が連設されると共に、該側縦部１２の一対の対向する側面部の下端部よりそれぞれ内方側に略水平な開口縁部１３が連設される。
【００１４】
開口縁部１３は、後述する支持金具３の係止片３１が載置係止されてこれを支持・固定するものである。本実施形態では開口縁部１３の長手方向（即ち該開口縁部１３を連設する側面部の水平方向の長さ）に三個の支持金具３の係止片３１が横並びに並設されるもので、両側の開口縁部１３の対向する部位に後述する配線器具２の両側に取り付けられた支持金具３の係止片３１がそれぞれ載置係止されて固定される（即ち一対の支持金具３にて一個の配線器具２が配設される）。そして、前記三個の係止片３１が載置される部位にこれらを固定する固着具が固着される支持金具用固着孔１４がそれぞれ穿設される。また更に、開口縁部１３の長手方向の中央部には、後述する保護カバー６を取り付けるための保護カバー用固着具挿通孔１５が穿孔される。
【００１５】
また、開口プレート１の側縦部１２の四つの側面部のうち、前記開口縁部１３が形成されている一対の対向する側面部とは別の他の一対の対向する側面部には、後述する開閉蓋８を上面で受けて支持する蓋受け部１７が内側に突設されると共に、開閉蓋８の係止爪８３とロック爪８４とをそれぞれ受ける係止爪受け部１８とロック爪受け部１９とが穿設される。
【００１６】
次に、支持金具３について説明する。支持金具３は、係止片３１と、該係止片３１から垂下される支持片３２と、該支持片３２の下端部より連設される取着片３３とからなる（図２等参照）。
【００１７】
係止片３１は、上記開口プレート１の開口縁部１３に載置係止される平面視長方形状をした水平板状のもので、長手方向（即ち開口縁部１３の長手方向）の長さは開口縁部１３の長手方向長さの略１／３に形成してある。本実施形態では、開口プレート１に配設する三個の配線器具２に取り付ける三対の支持金具３ａ，３ｂ，３ｃの前記開口縁部１３の長手方向の長さＬ1，Ｌ2，Ｌ3は、上述したようにほぼ開口縁部１３の長手方向長さの１／３であるものの、区別のためにそれぞれ若干ずつ異ならせてある。即ち、図１に示すように、各支持金具３ａ，３ｂ，３ｃの長手方向長さがＬ1＞Ｌ2＞Ｌ3となる。また係止片３１には、上記開口プレート１の開口縁部１３の支持金具用固着孔１４に対応する固着具挿通孔３５が穿孔される。また更に、中央の支持金具３ｂにおいては、後述する保護カバー６を取り付ける固着孔を避けて且つ後述する識別部としての切欠が形成してある。そして、この係止片３１からは支持片３２が下方に向けて連設される。
【００１８】
支持片３２は、係止片３１の内側辺（即ち係止片３１が開口縁部１３に載置係止された際に開口部１側に位置する端辺）から垂下される縦板状のもので、正面視において下辺が左右方向に傾斜する四角形状のものである。本実施形態では、三対の支持金具３ａ，３ｂ，３ｃは図２に示すように、片側の隣接する二個の支持金具３ｂ，３ｃの下辺が内側へ行く程下方に位置するように直線的に連なると共に、他側の支持金具３ａの下辺も前記二個の支持金具３ｂ，３ｃの下辺と逆傾斜で内側へ行く程下方に位置する直線で形成され、これら三対の支持金具３ａ，３ｂ，３ｃを開口プレート１に取り付けた際に正面視において支持片３２の下辺の全体が略Ｖ字状に連なるものである。そして、支持金具３の係止片３１の下辺からは取着片３３がそれぞれ連設される。
【００１９】
取着片３３は、上記支持片３２の下辺より内側に連設される傾斜した直板状のもので、中央部に配線器具２を固定するための固着孔３６が穿設してある。
【００２０】
次に、配線器具２について説明する。配線器具２は、本実施形態では配線器具本体４と、該配線器具本体４が取り付けられる配線器具取付枠５とからなるが、配線器具本体４のみからなるものでもよい（図１等参照）。
【００２１】
配線器具本体４としては、例えば１ヶ口や２ヶ口あるいは３ヶ口以上の電源コンセントやＴＶコンセント、あるいはモジュラジャック等が挙げられるが、特に限定はされない。本実施形態では、上記支持金具３ａ，３ｂ，３ｃにそれぞれ取り付けられる配線器具２の配線器具本体４として３ヶ口の電源コンセント４ａ、３ヶ口のＴＶコンセント４ｂ、３ヶ口のモジュラジャック４ｃを用いるもので、これらはいずれも略箱状をしたものである。
【００２２】
配線器具取付枠５は、上記配線器具本体４が嵌入される器具開口５０を内部に有する略長方形枠状のもので、両方の長辺部５１に配線器具本体４が取り付けられる被取付部となる器具本体着脱操作部５２が設けてある。また、器具本体着脱操作部５２が設けられない端縁部５３（即ち短辺部）は平板状に形成されており、この端縁部５３が上記支持金具３の取着片３３に取り付けられるもので、端縁部５３の中央部に固着孔５４が穿設してある。
【００２３】
以上のような開口プレート１、支持金具３、配線器具２の床面Ｆへの配設について説明する。
【００２４】
まず、配線器具２の支持金具３への取り付けについて説明する。これは、図１に示すように、配線器具本体４が取り付いた配線器具取付枠５の両側の端縁部５３に一対の支持金具３の取着片３３をそれぞれ上方より当接させ、固着具を取着片３３の固着孔に挿通して配線器具取付枠５の固着孔５４に螺着するものである。
【００２５】
次に、配線器具２が取り付いた支持金具３の開口プレート１への取り付けについて説明する。これは、図１に示すように、床面Ｆに配設してある開口プレート１の開口部１０に上方より配線器具２及び支持金具３を挿入し、支持金具３の係止片３１を開口プレート１の開口縁部１３に載置係止する。そして、支持金具３の係止片３１の固着具挿通孔３５に固着具を挿通して開口プレート１の開口縁部１３の支持金具用固着孔１４に螺着するものである。ただし取り付け順序としては、床面Ｆに配設した開口プレート１に支持金具３を取り付けた後、支持金具３に配線器具２を取り付けてもよく（図１４参照）、特に取り付け順序は限定されないものである。
【００２６】
そして、以上のようにして床面Ｆへ配設した開口プレート１には、開口部１０に開閉蓋８を着脱自在に取り付けるものであるが、このような床配線装置にはその他に化粧カバーや保護カバーを設けてもよいもので、これらについて先に説明する。
【００２７】
化粧カバー７は、上鍔枠７１と、該上鍔枠７１から垂下される側板部７２及び側縦板部７３と、底部を為す傾斜板部７４及び底板部７５とからなる上方に開口する大略箱状をしており（図２，図３，図５等参照）、配線器具本体４のみを上方に臨ませるように露出されるものである。
【００２８】
上鍔枠７１は、外郭が開口プレート１の開口部１０とほぼ同形同大平面視略ロ字形のフランジ状をしたもので、上鍔枠７１の内端周縁からは側板部７２及び側縦板部７３が垂下される。側板部７２は、上鍔枠７１の内端周縁の四辺のうち、開口プレート１の開口縁部１３に対応する対向する一対の辺よりそれぞれ下方に連設されるもので、下方の二辺が支持金具３の取着片３３に沿って傾斜する略Ｖ字を為す正面視略五角形状をしたものである。また、側縦板部７３は、上鍔枠７１の内端周縁の四辺のうち前記側板部７２が形成されていない辺よりそれぞれ下方に連設されて前記側板部７２に側端縁で連続するもので、下端からはそれぞれ傾斜板部７４が連設される。傾斜板部７４は、前記側板部７２の下方の傾斜する二辺にそれぞれ側端縁で連続すると共に、下端縁で略水平な底板部７５にそれぞれ連続する。この傾斜板部７４には、配線器具本体４に対応する部分にのみ開口部７６が穿孔してある。
【００２９】
この化粧カバー７は、配線器具２が取り付いた支持金具３を開口プレート１に取り付けた後、開口プレート１内に上方より挿入して（図２，図１４等参照）、上鍔枠７１の下面を支持金具３の係止片３１の上面に載置し、傾斜板部７４が配線器具本体４に沿う状態で開口プレート１に固定するものである（図４参照）。
【００３０】
化粧カバー７には、図５に示すように、上鍔枠７１の開口プレート１の開口縁部１３に対応する部分に位置決め部７７とねじ止め部７８とが設けてある。位置決め部７７は、開口プレート１の両側の開口縁部１３に対応する上鍔枠７１の対向する辺の下面にそれぞれ一個ずつ下方に突設し、ねじ止め部７８も前記位置決め部７７が突設された上鍔枠７１の対向する辺の下面にそれぞれ一個ずつ穿設してある。特に本実施形態では、位置決め部７７を前記上鍔枠７１の対向する辺の互いに反対側となる端部付近に突設すると共に、ねじ止め部７８を上鍔枠７１の位置決め部７７を設けた辺の位置決め部７７と反対側の端部にそれぞれ穿設し、位置決め部７７同士を結ぶ線とねじ止め部７８同士を結ぶ線とが互いに略直交するように形成してある（図５参照）。
【００３１】
この化粧カバー７を開口プレート１に上方より挿入して位置決め部７７を開口縁部１３の対応する部分に穿設した位置決め孔に嵌入して位置決めし、ねじ止め部７８にねじからなる固着具を挿通して開口縁部１３のねじ止め孔（図示せず）に螺着して固定するものである。また上鍔枠７１には、上記位置決め部７７及びねじ止め部７８が形成されていない下面に多数のリブ部が形成してあり、支持金具３の係止片３１に載置した際に係止片３１を開口プレート１に固着する固着具を逃がすことができる。
【００３２】
また、化粧カバー７は支持金具３の係止片３１に載置された状態で配設され、この上方に後述する開閉蓋８を配設するのであるが、この時、化粧カバー７の上鍔枠７１の上面は開口プレート１に設けた蓋受け部１７の上面より若干低い位置にあるか略面一となるため、開閉蓋８から受ける下方への荷重はほぼ開口プレート１の蓋受け部１７で受けるもので、化粧カバー７に伝達する荷重を軽減することができる。
【００３３】
次に、保護カバー６について説明する。保護カバー６は、電源コンセントのような強電の配線器具本体４ａと、ＴＶコンセントやモジュラジャック等の弱電の配線器具本体４ｂ，４ｃを隔絶するため、強電の配線器具本体４ａの背面側（即ち下側）に設けるものである。
【００３４】
保護カバー６は、図２等に示すように、四方の側壁６２と、側壁６２の上端縁に設けられる上端鍔部６１と、側壁６２の下方開口に取り付けられる底板部６３とで構成される上方に開口する略箱状をしたものである。側壁６２と上端鍔部６１は一体に形成してあり、別体の底板部６３を固着具を固着具挿通孔３５に挿通して側壁６２に穿設した固着孔に螺着して底板部６３を取り付ける。この保護カバー６を開口プレート１の強電の配線器具本体４ａが取り付けられる部分に予め取り付けておくことで、配線器具２が取り付いた支持金具３をそれぞれ開口プレート１に取り付けた際、強電の配線器具本体４ａと弱電の配線器具本体４ｂとを保護カバー６の側壁６２ａにて隔絶することが可能となる。また、保護カバー６の強電の配線器具本体４ａと弱電の配線器具本体４ｂとを隔絶する側壁６２ａの上端部には鍔部６５が設けてあり、配線が保護カバー６から膨出するのを防止することができる。
【００３５】
以下、開閉蓋８について説明する。開閉蓋８は、平面視における外郭が上記開口プレート１の上枠部１１の内端周縁とほぼ同形同大の略矩形状の板状のもので（図１１，図１２参照）、開口プレート１の上枠部１１の内部に嵌合されて開口部１０を覆うものである（図９，図１０，図１３等参照）。
【００３６】
開閉蓋８の一辺には、略矩形状をした配線引出部８０が切欠開口してあり、この配線引出部８０を覆う着脱片８１が着脱自在に該配線引出部８０に取り付けられるもので、二種類の着脱片８１のうちの一方が取り付けられ、他方は開閉蓋８の下面に取着収納される。着脱片８１としては、開口着脱片８１ａと閉塞着脱片８１ｂの二種類があり、以下に説明する。なお、図１１は開口着脱片８１ａが配線引出部８０に取り付けられて閉塞着脱片８１ｂが開閉蓋８の下面に取着収納された状態を示すものであり、図１２は閉塞着脱片８１ｂが配線引出部８０に取り付けられて開口着脱片８１ａが開閉蓋８の下面に取着収納された状態を示すものである。
【００３７】
開口着脱片８１ａは、平面視において配線引出部８０とほぼ同形同大を為す一側方及び下方に開口する大略箱状をしたもので、下端縁部が配線引出部８０に嵌入される（図１１参照）。この開口着脱片８１ａの側方開口によって開口プレート１内と床上空間とが連通され、開口プレート１内より配線を床上に取り出すことが可能となる。
【００３８】
閉塞着脱片８１ｂは、平面視において配線引出部８０とほぼ同形同大の板状をしたもので、配線引出部に８０嵌入されて該配線引出部８０を閉塞するものである（図１２参照）。
【００３９】
このような開閉蓋８と着脱片８１（開口着脱片８１ａと閉塞着脱片８１ｂ）には、下面に補強板８２がそれぞれ設けてある。上記開閉蓋８及び着脱片８１は、通常は合成樹脂にて主体が形成されるため、金属等の剛性及び強度が大きい材料で形成された補強板８２を設けて補強される。そして更にこの補強板８２に、着脱片８１を開閉蓋８に対して着脱自在とする突出辺部８５及び挟持爪部８６を設けるものである。
【００４０】
これは、図１１，図１２に示すように、開閉蓋８と着脱片８１とにそれぞれ設けた補強板８２のうち、一方（本実施形態では開閉蓋８に設けた補強板８２）に突出辺部８５を設け、他方（本実施形態では着脱片８１に設けた補強板８２）に水平方向の異なる位置において上下に二股となる挟持爪部８６を設け、挟持爪部８６にて突出片を挟持して保持するものである。このようにすることで、容易な構成で突出辺部８５と挟持爪部８６とを互いにスライドさせて開閉蓋８と着脱片８１とを自在に着脱することができる。なお、突出辺部８５及び挟持爪部８６は補強板８２に設けるのではなく、開閉蓋８の本体及び着脱片８１の本体に設けてもよいものである。特に補強板８２に突出辺部８５と挟持爪部８６とを設けることで、突出辺部８５と挟持爪部８６が破損する惧れが低減する。
【００４１】
そして次に、本発明の開閉蓋８に設ける係止爪８３及びロック爪８４と、開口プレート１に設ける係止爪受け部１８及びロック爪受け部１９について説明する。開閉蓋８は、開口プレート１の上枠部１１の内部に嵌合されて開口部１０を覆う際、開口プレート１の蓋受け部１７に載置支持されると同時に、開閉蓋８に設けた係止爪８３とロック爪８４をそれぞれ開口プレート１に設けた係止爪受け部１８とロック爪受け部１９に係合するものである。
【００４２】
開口プレート１の蓋受け部１７は、開口プレート１の側縦部１２の四つの側面部のうち開口縁部１３が形成されていない対向する側面部にそれぞれ二個ずつ計四個突設してある（図４参照）。
【００４３】
開閉蓋８の係止爪８３は、開閉蓋８の配線引出部８０が形成してある辺の該配線引出部８０の両側に二個突設してあり（図１１，図１２参照）、一方、開口プレート１の係止爪受け部１８は、開口プレート１の二箇所の（即ち本実施形態では上記蓋受け部１７を突設した側縦部１２の対向するそれぞれの側面部の）係止爪８３に対応する部分に、下方に開口する切欠として二個ずつ計四個形成してある（図６参照）。
【００４４】
開閉蓋８のロック爪８４は、開閉蓋８の前記係止爪８３を突設した辺と対向する辺の中央部に一個突設してあり（図１１，図１２参照）、一方、開口プレート１のロック爪受け部１９は、開口プレート１の二箇所の（即ち本実施形態では上記係止爪受け部１８を形成した対向するそれぞれの側面部の）ロック爪８４に対応する部分に、下方に開口する切欠として一個ずつ計二個形成してある（図６参照）。なお、係止爪８３及びロック爪８４は、開閉蓋８の本体かあるいは補強板８２のいずれに設けてもよいものである。
【００４５】
このような開閉蓋８を開口プレート１に取り付けるには、図７に示すように、開閉蓋８の係止爪８３を開口プレート１の一方の側面部に形成した係止爪受け部１８にそれぞれ係合し、開閉蓋８のロック爪８４側の端縁を開口プレート１に嵌入してロック爪８４を開口プレート１のロック爪受け部１９に係合させるものである。このようにして、開閉蓋８を係止爪８３とロック爪８４とで係止することで誤って開くことを防止できる。なお、ロック爪８４は、図１１，図１２に示すように、上面側のロックボタン８７を回転させることで開閉蓋８の側方に突出・収納自在に設けてある。
【００４６】
そして、係止爪受け部１８及びロック爪受け部１９を開口プレート１の側縦部１２の対向する側面部にそれぞれ形成してあるため、図９及び図１３に示すように、開閉蓋８を互いに１８０°反転させた二種類の向きで取り付けることができるものである。
【００４７】
また特に図示はしないが、開口プレート１の開閉蓋８が嵌入される開口部１０を平面視矩形状に形成すると共に開閉蓋８を開口部１０と同様の平面視矩形状に形成し、係止爪受け部１８及びロック爪受け部１９を開口プレート１の側縦部１２の一対の対向する側面部だけでなく他の一対の対向する側面部にも穿孔して設けて、開閉蓋８を上記反転した状態の二種類の向きだけでなく、９０°ずつ回転した状態の四種類の向きで取り付け可能としてもよい。更にその他にも、上記開口部１０及び開閉蓋８を平面視円形状に形成すると共に係止爪受け部１８及びロック爪受け部１９を多数（例えば四箇所以上）設けて取り付け向きを多種類可能にすること等も考えられ、特に開口部１０や開閉蓋８の形状等には限定されない。
【００４８】
以上のような構成によれば、開閉蓋８の一端部に係止爪８３を設けると共に他端部にロック爪８４を設け、開口プレート１に前記係止爪８３とロック爪８４とを受ける係止爪受け部１８とロック爪受け部１９とを各々複数箇所に設けたので、開閉蓋８を開口プレート１の開口部１０に複数種類の取り付け向きで取り付け可能となって、開閉蓋８の取り付け向きを変更して配線引出部８０の位置を変更することができて、配線引出部８０に装着する開口着脱片８１ａの向きも変更することが可能となり、配線引出部８０の側方開口の向きを変更してこの側方開口より引き出す開口プレート１内の配線の引き出し向きを変更することが可能となる。このため、開口プレートの近傍に什器等の設備があったり、壁際等に設けられたりする場合でも、配線引出部８０の位置及び配線引出方向を現場の状況に応じて変更できて、配線の引き出しが困難になるのを回避することができる。
【００４９】
また、係止爪受け部１８及びロック爪受け部１９を、それぞれ対向位置に２箇所ずつ設けたので、開閉蓋８を互いに１８０°反転させた二種類の向きで取り付けることが可能となり、特に、通常よく用いられる平面視略矩形状に形成した開口部１０及び開閉蓋８において容易に二種類の取り付け向きを可能とすることができる。
【００５０】
また、配線器具２を複数横並びに並設してあるので、前記複数の配線器具２に接続される多数の配線を床上に引き出すのにこれらの配線の引き出し向きを複数種類のうちから選択できることとなって配線が容易になる。
【００５１】
【発明の効果】
上記のように本発明の請求項１記載の発明にあっては、内部に略矩形状の開口部を有するフランジ状をした上枠部と、該上枠部の内端周縁から下方に連設される側縦部と、該側端部の一対の対向する側面部の下端部よりそれぞれ内方側に略水平に連設されている開口縁部と、を有し、床面に配設される開口プレートと、係止片と支持片と取着片とからなる複数の支持金具であって長手方向の長さをそれぞれ異ならせてある該係止片が前記開口縁部に取り付けられている対の支持金具と、前記取着片に取り付けられていて横並びに連設してある複数の配線器具と、配線引出部を有して開口プレートの開口部に着脱自在に配設される開閉蓋とを備えた床配線装置であって、前記開閉蓋は、一端部に係止爪、他端部にロック爪を有し、前記開口プレートの側縦部に、係止爪が係合する係止爪受け部とロック爪が係合するロック爪受け部を、少なくとも開口プレートの側縦部の四つの側面部のうちの一側面部に設けるとともに、前記一側面部に対向する側面部にも、係止爪受け部とロック爪受け部を設け、開閉蓋を開口プレートの開口部に複数種類の取り付け向きで取り付け可能としたので、複数の支持金具において区別できるようになり、また、開閉蓋を開口プレートの開口部に複数種類の取り付け向きで取り付け可能となって、開閉蓋の取り付け向きを変更して配線引出部の位置を変更することができて、配線引出部に装着する開口着脱片の向きも変更することが可能となり、配線引出部の側方開口の向きを変更してこの側方開口より引き出す開口プレート内の配線の引き出し向きを変更することが可能となり、また、複数の配線器具に接続される多数の配線を床上に引き出すのにこれらの配線の引き出し向きを複数種類のうちから選択することが可能となる。このため、開口プレートの近傍に什器等の設備があったり、壁際等に設けられたりする場合でも、配線引出部の位置及び配線引出方向を現場の状況に応じて変更できて、配線の引き出しが困難になるのを回避することができる。
【００５２】
また請求項２記載の発明にあっては、上記請求項１記載の発明の効果に加えて、前記係止爪受け部、ロック爪受け部は、前記一側面部及び前記対向する側面部だけでなく、他の一対の対向する側面部にも設け、開閉蓋を四種類の向きで取り付け可能としたので、開閉蓋を四種類の向きで取り付けることが可能となる。
【図面の簡単な説明】
【図１】本発明の一実施形態の要部における一部分解斜視図である。
【図２】同上の実施形態の分解斜視図である。
【図３】同上の実施形態における床面への配設を説明する図であり、化粧カバーを取り付ける直前を示す斜視図である。
【図４】同上の実施形態における床面への配設を説明する図であり、化粧カバーを取り付けた状態を示す斜視図である。
【図５】同上の実施形態における化粧カバーの下側から見た斜視図である。
【図６】同上の実施形態における床面への配設を説明する図であり、化粧カバーを取り付けた状態を示す図４より低い位置から見た斜視図である。
【図７】同上の実施形態における開閉蓋の取り付けを説明する図であり、（ａ）は一方向から見た斜視図であり、（ｂ）は（ａ）と別の方向から見た斜視図である。
【図８】同上の実施形態の床配線装置を床面に配設した状態を示す側面図である。
【図９】同上の状態を示す斜視図である。
【図１０】同上の状態を示す平面図である。
【図１１】同上の実施形態における開閉蓋及び着脱片を示し、（ａ）は上方から見た斜視図であり、（ｂ）は下方から見た斜視図である。
【図１２】同上の実施形態における開閉蓋及び他の着脱片を示し、（ａ）は上方から見た斜視図であり、（ｂ）は下方から見た斜視図である。
【図１３】同上の実施形態の床配線装置を床面に他の向きで配設した状態を示す斜視図である。
【図１４】同上の実施形態において他の取付け順序での取付けを説明する説明図である。
【図１５】従来例の分解斜視図である。
【符号の説明】
Ｆ  床面
１  開口プレート
１０  開口部
１８  係止爪受け部
１９  ロック爪受け部
２  配線器具
８  開閉蓋
８０  配線引出部
８３  係止爪
８４  他端部にロック爪
【図１】
0004103434.tif 000002
【図２】
0004103434.tif 000003
【図３】
0004103434.tif 000004
【図４】
0004103434.tif 000005
【図５】
0004103434.tif 000006
【図６】
0004103434.tif 000007
【図７】
0004103434.tif 000008
【図８】
0004103434.tif 000009
【図９】
0004103434.tif 000010
【図１０】
0004103434.tif 000011
【図１１】
0004103434.tif 000012
【図１２】
0004103434.tif 000013
【図１３】
0004103434.tif 000014
【図１４】
0004103434.tif 000015
【図１５】
0004103434.tif 000016